Podtech/llm-jp-corpus-v4-ja_patent huggingface dataset:
(57)【要約】      （修正有）【課題】現在のチップソーの製品表示はＪＩＳと非ＪＩＳの分別しかないため、商品選びの際、お客様が混乱している。消費者が迷わず商品を選ぶことができる製品表示方法を提案する。【解決手段】ＪＩＳなどの基準を表示すると同時に、当該製品の実質の指標も比較して表示する。ことで見るだけでは品質の判断ができないことを明確に分かるようにする。表示の形式は表形式、又は箇条書き、必要の場合はイラストも入れる。製品包装の表側，又は裏側、又は使用説明書に表示する。又は製品宣伝のパンフレット、ポスター、ホームページなどにて表記する。【選択図】図１
2015093373.tif 000002
【特許請求の範囲】
【請求項１】
現在流通しているチップソー商品の品質を識別するのがＪＩＳ品かそれとも普通製品で分かれているが、消費者からは区別しにくく、品質が分かるような表記をする。
【請求項２】
表示方法についてはＪＩＳの規定があるものについてはその標準を併記で表す。
【請求項３】
ＪＩＳ基準と比較して、当該製品の指標を明記する。
【請求項４】
表示の形式は表形式、又は箇条書き、必要の場合はイラストも入れる。
【請求項５】
表示場所は製品包装の表，又は裏、又は使用説明書に表示する。又は製品宣伝のパンフレット、ポスター、ホームページなどにて表記する。
【請求項６】
商品の品質判断の方法も記載する。
【請求項７】
表示形式は表形式又は箇条書き必要であればイラストも加える。
【請求項８】
方法の記載方法は、商品包装の表、裏、説明書、ホームページ、ポスター、冊子いずれの媒体に消費者が分かりやすくする。
【発明の詳細な説明】
【技術分野】
【０００１】本発明は市場で流通されているチップソー製品などＪＩＳ標準はあるが、実際に商品を見ると品質の判断が難しい商品に分かりやすく基準値と製品の指標値を明記することに関わる。
【背景技術】
【０００２】現在のチップソー商品はＪＩＳ製品と普通商品ははっきり分かるが、同じＪＩＳ製品にも使用の材料、工程管理などで品質の差が生じる。その商品の品質を消費者には分かりにくい；そのためＪＩＳ基準を併記し当該製品の材料性質、指標を明記することによって消費者が商品の品質を理解して、選ぶことができるようになる。また、製品の判別方法をも明記によって、商品の品質判断をできるようにする。
【発明の概要】
【発明が解決しようとする課題】
【０００３】現在の本国で流通しているチップソー製品には、消費者が製品の表面だけを見るのは品質が分かりにくい、その問題を解決するためにＪＩＳなどの基準と製品の指標を比較しながら表記することによって分かりやすくする。【０００４】初心者でも製品の選別できるように製品の選別方法も明記する。【０００５】これによって粗悪品の流通を減らすことも期待できる。
【課題を解決するための手段】上記の課題を解決するために本発明は次のように実行する。【０００６】本発明の請求１項は現在表示している方法では品質についてはとても分かりにくいため、分かり易く表記する。【０００７】本発明請求項２では、表記する具体的な方法を提供している。ＪＩＳ標準があるものはその基準も表記し、比較対象にする。【０００８】請求項３では当該製品の指標と基準を比較して表記する。【０００９】請求項４は具体的表記の形式を明記したものです。【００１０】請求項５は表記場所も明記した。【００１１】請求項６では一般的な品質の判別方法をも記載するようにする。【００１２】請求項７では６項の表記場所と媒体を提示する。
【発明効果】
【００１３】本発明の実現により消費者は商品の品質を包装の表記で分かるようになり、自分が必要な品質の商品を迷わず購入することができるようになる。
【発明の実施形態】
【００１４】図１のようにＪＩＳＢ９２１２チップソーの一例商品包装の表またはうらに表形式で表記する。
【００１５】図２のよう選び方法を表示する。
【図面の簡単な説明】
【００１６】
【図１】左から右は製品の型番、表記項目、ＪＩＳの表標準の例、当該製品の測定指標値です。
【図２】チップソー製品の見分け方法。
【図１】
2015093373.tif 000003
【図２】
2015093373.tif 000004
(57)【要約】      （修正有）【課題】配管の取り付けやガスケット交換等において、フランジ接続部のフランジの食い違いを合わせるため、工具の柄や、Ｌ形に曲げた丸棒をボルト穴に差し込んだり、工具の柄を打ち込んで回転させたりする必要のない治具を提供する。【解決手段】アーム１の先端部に片方のフランジのボルト穴に挿入する丸棒３を設け、後端部には二股状取り付け部２の内側に、柄７の先端に取り付けたＬ形状で、もう片方のフランジの側面を押す押し板５をピン４で回転可能に設けた。【選択図】図１
2015093374.tif 000002
【特許請求の範囲】
【請求項１】
アームの先端部に片方のフランジのボルト穴に挿入する丸棒を設け、後端部には二股状取り付け部の内側に、柄の先端に取り付けたＬ形状で、もう片方のフランジの側面を押す押し板をピンで回転可能に設けたフランジ合わせ治具。
【発明の詳細な説明】
【技術分野】
【０００１】  この発明は、配管の取り付けやガスケット交換等において、フランジ接続部のフランジの食い違いを合わせるために使用する治具で、合わせようとする片方のフランジのボルト穴にアームに取り付けた丸棒を挿入し、柄を押すことによって、柄の先端に取り付けられ、このアームとピン結合したＬ形の板で、もう片方のフランジの側面を押して合わせる治具に関するものである。
【背景技術】
【０００２】  従来は、配管の取り付けやガスケット交換等において、フランジ接続部のフランジの食い違いを合わせるため、ボルト穴に工具の柄や、Ｌ形に曲げた丸棒を差し込んだり、工具の柄を打ち込んで回転させたりして合わせていた。また、大きな力が必要な時や、大きく食い違ってボルト穴が利用できない時は、チエンブロック等を使用して配管自体を引っ張っていた。
【発明の概要】
【発明が解決しようとする課題】
【０００３】  これは次のような欠点があった。
配管の取り付けやガスケット交換等において、フランジ接続部のフランジの食い違いを合わせる従来の方法は合わせる力が小さく、ボルト穴に差し込んだものが外れることがあり、特に、高所における作業の安全性に問題があった。また、合わせるのに大きな力が必要な時や、大きく食い違ってボルト穴が利用できない時は、段取りや片付けに手間がかかるチエンブロック等を使用して配管自体を引っ張らなければならなかった。
本発明は、これらの欠点を除くためになされたものである。
【課題を解決するための手段】
【０００４】  上記の欠点を除くため、アーム（１）の先端部に片方のフランジ（Ａａ）のボルト穴に挿入する丸棒（３）を設け、後端部には二股状取り付け部（２）の内側に、柄（７）の先端に取り付けたＬ形状で、もう片方のフランジ（Ａｂ）の側面を押す押し板（５）をピン（４）で回転可能に設けたフランジ合わせ治具。
【発明の効果】
【０００５】  配管の取り付けやガスケット交換等において、フランジ接続部のフランジの食い違いを合わせるため、工具の柄や、Ｌ形に曲げた丸棒をボルト穴に差し込んだり、工具の柄を打ち込んで回転させたりする必要はなく、合わせようとする片方のフランジのボルト穴にアームに取り付けた丸棒を挿入し、そのアームにピンで結合された柄を押すことによって、柄の先端のＬ形の板は、もう片方のフランジの側面をテコの原理で、従来の方法に比べ、より大きな力で押して合わす事ができる。また、ボルト穴が大きくなっても対応できるとともに、段取りや片付けに手間がかかるチエンブロック等を使用しなければできなった作業も、柄をパイプ等により延長することでできるようになった。これにより、フランジ合わせの時間の短縮、および安全性の向上から、上記の作業において、コストダウンを図る事ができる。
【発明を実施するための最良の形態】
【０００６】  以下、本発明を実施するための最良の形態について説明する。
アーム（１）の先端部に片方のフランジ（Ａａ）のボルト穴に挿入して引っかける丸棒（３）を設け、後端部には二股状取り付け部（２）の内側に、柄（７）の押し板取り付け部（８）に固定ピン（９）で取り付けられたＬ形状で、もう片方のフランジ（Ａｂ）の側面を押し部（６）で押す押し板（５）をピン（４）で回転可能に設けた構造のフランジ合わせ治具である。
【実施例】
【０００７】  本発明は以上のような構造で、図４に示すように、配管（Ｂａ），（Ｂｂ）に取り付けられたフランジ（Ａａ），（Ａｂ）が食い違った状態のフランジ合わせについて説明する。フランジ（Ａａ）の一番大きく食い違っている所のボルト穴に丸棒（３）を挿入し、アーム（１）を手で押さえながら、柄（７）をもう片方の手で、合わせ具合を見ながら左右に動かして押さえ、フランジ（Ａｂ）をフランジ（Ａａ）に合わせる。また、大きな力が必要な時は、柄（７）をパイプ等で延長して同じように合わす。
【図面の簡単な説明】
【０００８】
【図１】本発明の斜視図
【図２】本発明の側面図
【図３】本発明の平面図
【図４】本発明の取り付け斜視図
【図５】本発明のフランジ合わせ完了の斜視図
【図６】本発明のフランジ合わせ完了の側面図
【符号の説明】
【０００９】１…アーム
２…二股状取り付け部
３…丸棒
４…ピン
５…押し板
６…押し部
７…柄
８…押し板取り付け部
９…固定ピン
Ａａ，Ａｂ…フランジ
Ｂａ，Ｂｂ…配管
【図１】
2015093374.tif 000003
【図２】
2015093374.tif 000004
【図３】
2015093374.tif 000005
【図４】
2015093374.tif 000006
【図５】
2015093374.tif 000007
【図６】
2015093374.tif 000008
(57)【要約】【課題】  未開封のペットボトル等のキャップを、手のひらと指で廻す際に、指の腹に接触する凸部がかまぼこ状に丸く膨らんでいるので、力の弱い者、或いは、キャップが濡れている場合などは、キャップをグリップする力が滑ってキャップをゆるめるのが、困難であった。  本発明は、以上の問題点を解決するためになされたものである。【解決手段】  キャップ全壁に多数設けられている縦向きに並んだかまぼこ状凸部（１）のそれぞれすべてを縦に左半分を切除した形で半かまぼこ状凸部（２）を形成する。  以上を特徴とする、滑りにくく開けやすいボトルキャップである。【選択図】図２
2015093735.tif 000002
【特許請求の範囲】
【請求項１】
キャップ全壁に多数設けられている縦向きに並んだかまぼこ状凸部のそれぞれすべてを縦に左半分を切除した形で半かまぼこ状凸部を形成する。
以上を特徴とする、滑りにくく開けやすいボトルキャップである。
【発明の詳細な説明】
【技術分野】
【０００１】  本発明は、ペットボトル等の蓋に用いるすべりにくく開けやすいボトルキャップの形状に関するものである。
【背景技術】
【０００２】  従来のペットボトル等の蓋に用いるキャップの外観は、図３、図４に示すように、円筒部の外周壁にかまぼこ状の凸部が設けられている形状である。
【発明の概要】
【発明が解決しようとする課題】
【０００３】  しかしながら、以上の技術によれば、キャップを手のひらと指で廻す際に、指の腹に接触する凸部がかまぼこ状に丸く膨らんでいるので、力の弱い者、或いは、キャップが濡れている場合などは、キャップをグリップする力が滑ってキャップをゆるめるのが、困難であった。
本発明は、以上の問題点を解決するためになされたものである。
【課題を解決するための手段】
【０００４】  キャップ全壁に多数設けられている縦向きに並んだかまぼこ状凸部のそれぞれすべてを縦に左半分を切除した形で半かまぼこ状凸部を形成する。
以上を特徴とする、滑りにくく開けやすいボトルキャップである。
【発明の効果】
【０００５】  かまぼこ状凸部の丸みがなくなり、キャップを左回りに廻す手の接触部の引っ掛かり度合が非常に大きく、滑りにくくなり、手の力が入り易くなる。
この結果、キャップを容易にゆるめる事ができる。
【図面の簡単な説明】
【０００６】
【図１】  本発明の拡大平面図
【図２】  本発明を装着した状態のボトル本体上部を表す斜視図
【図３】  従来のキャップの拡大平面図である。
【図４】  従来のキャップを装着したボトル本体の上部を表す斜視図
【発明を実施するための形態】
【０００７】  以下、本発明の一実施形態を説明する。
キャップ全壁に多数設けられている縦向きに並んだかまぼこ状凸部（１）のそれぞれすべてを縦に左半分を切除した形で半かまぼこ状凸部（２）を形成する。
本発明は以上のような構成であり、これを実際に使用する時は、キャップを左回りに廻す手の接触部の引っ掛かり度合が非常に大きく、滑りにくくなり、手の力が入り易くなる。
【実施形態の効果】
【０００８】  それ故、キャップが濡れているときや力が弱い高齢者や女子、子供でも、キャップを容易にゆるめる事ができる。
【符号の説明】
【０００９】  １、かまぼこ状凸部
２、半かまぼこ状凸部
【図１】
2015093735.tif 000003
【図２】
2015093735.tif 000004
【図３】
2015093735.tif 000005
【図４】
2015093735.tif 000006
(57)【要約】【課題】２リットルのペットボトルの脈動防止具に於いて、筒体内径壁に設けた脈動防止用の筒形の直管の束を内径一杯に設けてあるが、筒形の直管同士を固着させる事や、直管の束を筒体内径壁に固着させるには、有害な接着剤は使えないし、熱加工にも技術を要する物であった。【解決手段】脈動防止用の複数本の筒形の直管の束を、材質が柔らかく横幅方向に弾力性があって人体に無害の蛇腹付きストローにする事に依って、ストロー同士の固定はその蛇腹部分をお互いに噛み合わせて束ねる事で、又、蛇腹部分の束は、下部は筒体下部のストローを固定する穴で横方向から挟み、上部は上部内径ストッパーで上方から挟む事で、有害な接着剤も高度な技術も使わずに、簡単に固定出来るようになった。【選択図】図１
2015093736.tif 000002
【特許請求の範囲】
【請求項１】
ペットボトルの口部に装着し飲料水等を注ぐ時の脈動防止具に於いて、脈動防止用として、幅方向に弾力があり人体に無害な適当な長さの片方に蛇腹が付いているストローを使い、その蛇腹部分を互いに噛み合わせてペットボトル吐出口内径と同じ束にし、ストレート部を下方にした時、蛇腹部分の束の下部は筒体下部のストローを固定する穴で外周から挟み、上部外周部は上部内径ストッパーで上方から押さえて筒体内に納めてなる脈動防止具。
【発明の詳細な説明】
【技術分野】
【０００１】    本発明は、ペットボトルの口部に装着し飲料水等を注ぐ時の脈動防止具に於いて、脈動防止用として蛇腹付きストローを使い、その蛇腹部分を利用してストローの束及び各ストロー同士の動きを固定させ、接着剤や熱加工等を一切使わないで脈動防止具の筒体内径に設けるようにした物。
【背景技術】
【０００２】  一般的に流通する２リットル等のペットボトルから、コップやケトル等の容器に飲料水等を注ぐ時、脈動が発生しやすく、結果として飲料水等が跳ね飛び、飲料水等を周囲に飛散させる等の欠点があったが、下記の［特許文献１］の、筒形の直管を束ねてなる脈動防止方法が発明された事でそれらの脈動による欠点は解消された。
【先行技術文献】
【特許文献】
【０００３】
【特許文献１】  特願２０１１−１９９９７４
【発明の概要】
【発明が解決しようとする課題】
【０００４】  上記の［特許文献１］の脈動防止具には、吐出口に設けたキャップ等の筒体内径壁に設けた脈動防止用の筒形の直管の束を内径一杯に設けてあるが、一本一本の筒形の直管同士を固定させる事や、直管の束を筒体内径壁に固着させるには、高度な技術を要する物であった。【０００５】  飲料水の通り道であるので無害な物でなければならないので、筒形の直管の束を内径一杯に設けるには市販されている人体に有害の恐れがあるボンドでは接着出来ないし、無害と言われている漆等での接着では時間が掛って生産的では無かった。【０００６】  又、一本一本を接着するのには融着や加熱圧着等の加工では困難であるし、製作しても高価な物になって生産的では無かった。
【課題を解決するための手段】
【０００７】  上記の欠点を解決する為に、脈動防止用の為の複数本の筒形の直管全てを、材質が柔らかく横幅方向に弾力性があって人体に無害で無味無臭の蛇腹付きストローを用いる。【０００８】  夫々のストロー同士の固定は、その蛇腹部分をお互いに噛み合わせて固く束ねる事で一本一本の上下動の動きを止め、【０００９】  蛇腹部分の外周部の固定は、ストローが横幅方向に弾力性がある事を利用して、蛇腹部分の直下部を、ペットボトルの口径より狭い筒体内径下部の穴に通して横方向から挟み込み、蛇腹部分の上部は筒体内径上部のストッパーで上方から止める。【００１０】  ストローのストレート部分の束の外径は、ペットボトルの口径と同じにする。【００１１】  上記により、蛇腹部分を、脈動防止具筒体の中に接着剤を使用する等の固着作業をしないで、ただ嵌め込んで夫々のストローが抜け出さないように固定出来る。
【発明の効果】
【００１２】  飲料水の通り道には、接着剤等の加工作業等がされていないので安全な飲料水を提供出来る。【００１３】  脈動防止具筒体に、蛇腹付きストローをただ嵌め込む構造なので、ストローを固着させる為の高度な技術は不要であり、安価に製造出来る。
【図面の簡単な説明】
【００１４】
【図１】  本体正面の部分断面図
【図２】  本体の斜視図
【図３】  使用図＝ボトルに装着して、飲料水等を注ぐ時の図
【図４】  一体型の筒体の場合の  本体正面の部分断面図
【発明を実施するための形態】
【００１５】  蛇腹付きのストロー同士の蛇腹部分をお互いに噛み合わせて固く束ね、その蛇腹部分を脈動防止具筒体の内側に納める。
【実施例】
【００１６】  以下、実施例を図１〜図４に基づいて説明する。【００１７】  脈動防止具の筒体３は、ペットボトル１のキャップと同様の構造のキャップの中央にペットボトル吐出口用のパッキン１１の内径と同径に穴をあけたストローを固定する穴１０を設けた筒体下部５の上に、ペットボトル吐出口部と同様の構造をした筒体内径上部にストッパー９を設けた筒体上部４を一体化させた物である。【００１８】  筒体３の中に入れる複数本の蛇腹付きのストローは、蛇腹部７をお互いに噛み合わせて固く束ね、そのストローのストレート部８の束の外径はペットボトルの吐出口内径と同じにする。【００１９】  脈動防止具の筒体下部５のストローを固定する穴１０に、オーリング１２を嵌めたストローのストレート部８の束を上方から蛇腹の下部が位置する迄差込むと、蛇腹部の直下のストローの束の外周側ストローが、ストローを固定する穴１０とパッキン１１の内径壁に依って少し潰れてストローの束が固定される。【００２０】  蛇腹部分７の束の上方から筒体上部４をかぶせて、内径ストッパー９で蛇腹部分７が抜け出さないように押さえて固定し、筒体下部５と固着させる。【００２１】  上記の固着方法が熱加工や接着剤であっても、オーリング１２に依って飲料水は固着部に触れる事は無い。【００２２】  筒体３が一体型の場合は、筒体上部の内径ストッパー９の位置に溝を設けて、蛇腹を筒体内に納めた後にシーピン６を嵌めて蛇腹部分７が抜け出さないようする。
【符号の説明】
【００２３】  １    ２リットルペットボトル
２    ２リットルペットボトル注ぎ口の雄ネジに螺合する  雌ネジ
３    筒体（筒体上部と筒体下部を一体化した物）
４    筒体上部
５    筒体下部
６    シーピン
７    蛇腹付きストローの  蛇腹部
８    蛇腹付きストローの  ストレート部
９    筒体上部の  内径ストッパー
１０  筒体下部の  ストローを固定する穴
１１  ペットボトル吐出口用の  パッキン
１２  オーリング（水道水用）
【図１】
2015093736.tif 000003
【図２】
2015093736.tif 000004
【図３】
2015093736.tif 000005
【図４】
2015093736.tif 000006
(57)【要約】      （修正有）【課題】新聞紙を順次収納保管しながら混ぜ返すことなく必要な日付の紙面を取り出して読むことが出来て、古紙として整理する際には投げ渡しても決してバラケルことのない強固な結束が容易にできる収納ラックを提供する。【解決手段】底壁のある本体収納ラックを中央部で上部ラック１ａと下部ラック１ｂに分離し、新聞紙７は四つ折りにして差込み収納した。【選択図】図１
2015093737.tif 000002
【特許請求の範囲】
【請求項１】
ラック本体は上部のラックと下部のラックで構成されており、上下のラックを接続することにより一体の収納ラックを形成する分離結合式新聞紙収納ラック。
【請求項２】
新聞紙、チラシ等を収納後古紙として廃棄する場合、上部ラックを取り除くことにより簡単な方法で強固に結束ができることを特徴とする分離結合式収納ラック。
【請求項３】
前記収納ラック内壁にスペーサー注入部位を設けた請求項１の新聞紙収納ラックック。
【発明の詳細な説明】
【技術分野】
【０００１】  本発明は新聞紙、チラシ、週刊雑誌等の収納、結束に関するものである。
【背景技術】
【図面の簡単な説明】
【図１】収納ラックの実施方法を示した斜視図である。（実施例１）
【図２】収納ラックの実施方法を示した斜視図である。（実施例２）
【図３】収納ラックの実施方法を示した斜視図である。（実施例３）
【図４】収納ラックのスペーサーを示す斜視図である。
【図５】新聞紙結束実施方法を示す斜視図である。（実施例４）
【図６】新聞紙の結束図である。（実施例５）
【図７】新聞紙の結束図である（実施例６）
【発明を実施するための形態】
【００１０】  図１は底壁のある本体収納ラック１を中央部で１ａと１ｂに分離したところの斜視図であり、７の新聞紙は四つ折りにして差込み収納した図面である。ラックの大きさは自由であるが、高齢者から子供まで運びやすく結束する場合新聞紙は２５〜３０部、重量にして３〜４キログラム収納できる大きさのラックが最良である。
【実施例】
【００１１】  図２に示す収納ラックは、下部ラック１ａと上部ラック１ｂを４の接続固定器具で接続して一体のラックを形成している図面である。  底板２と握り手穴３を有し上部開口部に新聞差込口６を表示している。【００１２】  図３に示す収納ラックは新聞紙を収納した状況を示した斜視図であり、スペーサー８の使用図を示している。８を使用することにより手の拳が容易に入る空間が出来、新聞紙の差込み、取り出し整理が容易にできる。【００１３】  図４に示す絵図はスペーサーの斜視図であるが、差込と取り出しが容易に出来る様に指掛け穴９を設けている。【００１４】  図５は結束図面である。結束順序は図２に示す上部ラック１ｂを下部ラック１ａと分離する。次に図３の８に示すスペーサーを取り除き紐体で新聞紙を巻き結びにしてある。結び方は自由であるが巻き結びが一番簡単である。結び方は紐輪を二つ作り新聞紙の上から被せて両手で絞めつける、一番簡単で誰でも強固に素早く結束出来る。【００１５】  図６は巻き結びで緊締後、下部ラック１ａから新聞紙を取り出したところの絵図であるが、ラック１ａを横に寝かせて引き出せば簡単に引き出すことができる。【００１６】  図７の１２は裏面を交差結びにした絵図である。交差結びにすることにより、投げ渡しても崩れることのない強固な結束ができる。【００１７】  収納ラックは新聞紙４つ折りにしたサイズの寸法でも良いが、入れ易さと整理し易さのため拳が入る程度の余裕のあるラックサイズが良い。空いたスペースに図１の８で示すスペーサーを用いることにより新聞紙等は散らかることなく整然と整理ができる。
【産業上の利用可能性】
【００１８】  本発明は新聞、チラシ、雑誌等を順次収納しながら過日再読ができる。  また、古紙として廃棄する時には整った強固な結束が誰にでも簡単に出来る。  しかも、居室に置いても違和感がなく居室の備品として利用できる。
【符号の説明】
【００１９】  １    ラック本体  １ａ  下部ラック  １ｂ  上部ラック  ２    底板  ３    握り手穴  ４    接続器具  ４ａ  接続器具  １／２  ４ｂ  接続器具  １／２  ５    差込ガイド板  ６    新聞紙差込口  ７    新聞紙  ８    スペーサー  ９    指掛け穴１０    結び紐１１    巻き結び１２    交差結び
【図１】
2015093737.tif 000003
【図２】
2015093737.tif 000004
【図３】
2015093737.tif 000005
【図４】
2015093737.tif 000006
【図５】
2015093737.tif 000007
【図６】
2015093737.tif 000008
【図７】
2015093737.tif 000009
(57)【要約】      （修正有）【課題】利用者一人一人が正しい乗り方を守り、事故撲滅とマナーの向上に直結し、特に高齢者や子供が安全に安心して利用できるシステムとして、目視により明確に指示するエスカレータを提供する。【解決手段】エスカレーターのステップ１の中央に、利用者が立つ位置を明示した目印３（足形や模様等）をペイントし、乗り始めの固定している位置２に、利用者を中央へ誘導するための目印（模様や「中央へ」などの文字等）をペイントした。【選択図】図１
2015093781.tif 000002
【特許請求の範囲】
【請求項１】
ステップの中央に立つ位置を明示した目印（足形や模様等）をペイントしたステップ。
【請求項２】
乗り始めの固定している位置に中央へ誘導するための目印（模様や文字等）をペイントした固定板。
【発明の詳細な説明】
【発明の詳細な説明】
【技術分野】
【０００１】本発明はステップの中央と乗り始めの固定している位置にペイント等で目印を付けたものである。
【背景技術】
【０００２】従来、エスカレーターを乗るときに左側または右側に寄って乗り、片方をすり抜ける人のために空けておく習慣があり、このことは利用者間の暗黙の了解となっている。
この様に利用者双方にとって都合が良いため「安全、安心」より双方の都合が優先されている。このことで立ち止まる人とすり抜ける人との間で接触や転倒、よろけなどの事故が後を絶たない。
また、端に寄って立つことでサイドパネルとステップの隙間に靴や衣服等が挟まれる事故も発生している。
このため鉄道各社や協会等では「歩かないで下さい」というキヤンペーンアピールを実施しているが、接触事故や転倒、挟み込みなどの事象が後を絶たない。
本発明はこの様な危険な習慣を改善し、事故撲滅とマナーの向上に効果が発揮できるものである。
【発明が解決しようとする課題】
【０００３】本発明は特に高齢者や子供が安全に安心して利用できるシステムとして目視により明確に指示することで問題が解決できるものである。
【課題を解決するための手段】
【０００４】まず、ステップに足を踏み入れる際、乗り始めの固定している位置に例えば「中央へ」と黄色等のペイントで大きく表示する。「中央へ」と表示する替わりに「幾何学模様」などを用いても良い。つまり利用者が堂々と中央部分に立てる事を明確に指示することで中央へ進む事ができる。次にステップ部の中央には「足形」または「幾何学模様」などを黄色等のペイントで明確に指示する。この一連した目視での確認と明確な目印により堂々と中央に立つことができ、安全で安心した利用が可能になる。
【発明の実施の効果】
【０００５】本発明は、明確に指示（目印）をする事で規則正しく安全で安心な乗り物になり、特に高齢者や子供の事故防止に効果が大きい。また、目印位置に立つことで歩行しようとする人も中央に堂々と立っている人に対して軽蔑した見識が無くなり、日本国民特有のルールを遵守する誠実さや物事に対する順応性などを引き出す事ができ、利用者のマナーの向上に直結する。
この対策を実施するにあたってはペイント等の施工を実施するだけでエスカレーターの構造を変更することなく安価で安心と安全を得る事ができる。
また、メンテナンスもペイントの補修程度に留まり定期的な保守は不要である。
【図面の簡単な説明】
【図１】ステップに目印をした図面である。
【図２】乗り始めの固定している位置に目印をした図面である。
【符号の説明】１  ステップ                ４  サイドパネル
２  乗り始めの固定板        ５  模様や文字の目印
３  足形や模様の目印
【図１】
2015093781.tif 000003
【図２】
2015093781.tif 000004
(57)【要約】【課題】自動車や船舶で雨や雪、波しぶき等から窓の視界を確保するために、一般に払拭子が往復移動するワイパーや旋回窓が用いられる。しかし、ワイパー方式は、雨や雪、波しぶきの量や風の強さ、移動速度によっては非常に見づらいものでり、また旋回窓も視角が狭く、限られた用途にしか利用が出来なかった。【解決手段】この課題を解決するため、本装置ではモーターで透明円盤を回転させて雨粒を遠心力で飛ばし、その透明円盤を透して動画カメラで戸外を撮影し、ディスプレーモニターにその良好な画像を映し出す事で、観察する人間は、あたかも雨や雪、波しぶきがないように窓の外が観察可能となる。【選択図】図１
2015093587.tif 000002
【特許請求の範囲】
【請求項１】
モーターで回転する透明円盤とそれを透して撮影ができる動画カメラを有する撮影装置。
【請求項２】
前記透明円盤の形状を円すい形またはドーム型に変形した撮影装置。
【発明の詳細な説明】
【技術分野】
【０００１】
本発明は、ワイパー付きの窓や旋回窓に代わる窓を実現するための装置に関するものである。
【背景技術】
【０００２】
自動車や船舶では、雨や雪、波しぶき等から窓の視界を確保するために、一般に払拭子が往復移動するワイパーが用いられる。また一部の船舶等では、旋回窓というモーターで円形ガラスを回転させ雨や雪、波しぶきを遠心力で飛散させて視界を確保する窓が用いられている。
【発明の概要】
【発明が解決しようとする課題】
【０００３】
ワイパー方式は、雨や雪、波しぶきの量や風の強さ、移動速度によっては非常に見づらいものである。
【０００４】
また、旋回窓は窓枠自体が円形で小さい上に中央にモーターが位置して視界を遮る構造のために視角が狭く、限られた用途にしか利用が出来なかった。
【課題を解決するための手段】
【０００５】
モーターで回転する透明円盤を通して動画カメラ装置で前方を撮影し、それをディスプレーモニターに映し出す。
【発明の効果】
【０００６】
雨や雪、波しぶきは、高速で回転する透明円盤の遠心力で飛散するため、それらが視界を遮る事がなく常に良好な画像が撮影出来る。
【０００７】
本来の窓の位置に同程度寸法のディスプレーモニターを設置して、ほぼ等倍でその良好な画像を映し出す事で、観察する人間は、あたかも雨や雪、波しぶきがないように窓の外が観察可能となる。
【図面の簡単な説明】
【０００８】
【図１】本実施形態における基本的な構成図である。
【発明を実施するための形態】
【０００９】
本発明を実施するための基本的な方法を図１を用いて説明する。
【００１０】
図１において、１ケースに取り付けられた２モーターの出力軸に３透明円盤を固定する。
２モーターを回すと３透明円盤が回転するので４雨粒は、遠心力により飛散する。
【００１１】
この状態で５動画カメラ装置で前方を撮影すると、６接続で繋がった８ディスプレーモニターにその光景が映し出される。
【００１２】
８ディスプレーモニターを見る人間は、あたかも全面がワイパーで拭い去られた直後の窓のような雨粒に邪魔されない良好な光景を見ることになる。
【産業上の利用可能性】
【００１３】
本発明を用いた装置は、車両、船舶、電車などワイパーや旋回窓を用いた窓を持つ機器で、広く利用することが可能である。
また、ディスプレーモニターをヘッドマウントタイプにすると、直接動画カメラ装置を覗いたような視界が得られるので、荒天の戸外で作業をするような、例えばパワーショベルのような建設機械の操縦で安全性を向上させることが期待できる。
【符号の説明】
【００１４】
１、ケース
２，モーター
３，透明円板
４，雨粒
５，動画カメラ装置
６，接続（有線または無線）
７，壁
８，ディスプレーモニター
【図１】
2015093587.tif 000003
(57)【要約】【課題】硬質な床材なども端部まで切断施工できるよう本体の両端部に刃を設け、前記刃よりも中央寄りに３枚目の刃を設けた端から端まで切れる硬質材用シートカッターを提供する。【解決手段】本体１の両端に刃４、５を切断材の端部を切れるように設け、３枚目の刃を本体グリップ部分２より力の伝わりやすい位置に設けた端から端まで切れる硬質材用シートカッターを特徴とする。【選択図】図１
2015093179.tif 000002
【特許請求の範囲】
【請求項１】
第一の刃と、
第二の刃と、
前記第一の刃と前記第二の刃を設けた本体と、
前記本体と可動的に接続されたガイドを有し、
前記本体が前記ガイドに対して動くことにより
前記ガイドから前記第一の刃または前記第二の刃が出て
前記第一の刃と前記第二の刃の間に第三の刃を有する
ことを特徴とするカッター。
【請求項２】
前記第一の刃、又は前記第二の刃をスライドさせ、
前記第三の刃の位置に移動させる事を特徴とする
請求項１に記載のカッター。
【発明の詳細な説明】
【技術分野】
【０００１】この発明は、長尺シートやカーペットなど、硬質な床材にも対応する、端から端まで切れるシートカッターである。
【背景技術】
【０００２】従来、シートカッターは端から端まで切ることは出来るが、硬質な床材などのコーナー部分を切るには刃先に力が伝わりにくく、強い力を加えなければ切る事ができない。又その他の床材用のコーナーカッターは端部を切る事が出来ず手間がかかった。
【先行技術文献】
【０００３】
【特許文献１】特開２０１１−１６１１９３号公報
【特許文献２】特開昭５０−０９５９００号公報
【発明の概要】
【発明が解決しようとする課題】
【０００４】これは次のような欠点があった。
従来のシートカッターは端から端まで切れるように、本体両端部分に刃先を突出させる構造になっている。その為に硬質な材料を切るには刃先への力の伝わる角度や、刃の位置が適していない。又その他の床材用のコーナーカッターは端部を切ることができない。
本発明は、以上のような欠点をなくすためになされたものである。
【課題を解決するための手段】
【０００５】本体の両端部に刃４、５を設け、前記刃より中央寄りに第三の刃６を設ける。前記３枚の刃により、壁際まで切る事が出来て、かつ硬質の材料のコーナー部分を施工する事が出来る。
【発明の効果】
【０００６】端部を切る為に浅い角度で備えた刃４、５は角度をＣ方向に立てると、刃の先端ＤよりもＥ部分が外側に出る為に端部を切るとき壁際などでは障害物となり端部を切る為にはＣ方向に立てる事が出来ない。しかし浅い角度ではＦ方向への力を強く加えなければ、硬質な材料や分厚い材料は切れない為、切断材料とガイドカバー８に大きな摩擦抵抗が生じ、長い時間、又は多くの施工を行うのは大変な作業となる。その為に本体グリップ部分２より刃の先端に力が伝達されやすく、本体が安定するガイド３中央寄りに第三の刃６を硬質材の切断に適した角度で備える。以上の構造により端から端まで切れ、かつ硬質な材料も切る事が出来る。
【図面の簡単な説明】
【０００７】
【図１】本発明の３枚刃式斜視図である。
【図２】本発明の３枚刃式分解斜視図である。
【図３】本発明のスライド式斜視図である。
【発明を実施するための形態】
【０００８】以下、本発明を実施するための形態について説明する。
図１本体１の両端部分に第一の刃４と第二の刃５を設け、本体グリップ２をＡ又はＢ方向に傾ける事で、ガイド３の上部、弧状の上をスライドさせて本体１を可動させ、第一の刃４、又は第二の刃５が出るようにする。第三の刃６を、第一の刃４と第二の刃５よりも中央に寄った本体グリップ部分より力が伝達されやすい位置で、硬質材の切断に適した角度で設け、ガイド３の底部に、切断材料の切りしろを調整できる高さ調整ネジ７を備えガイドカバー８で挟むように組む。本発明は以上の構成よりなる端から端まで切れる硬質材用シートカッターである。
又、その他の形態として図３のように本体１の下に本体をスライドさせる事の出来るスライディングガイドカバー１０を備え、本体グリップ２をＡ方向に傾け第一の刃４を突出させたままＨ方向に本体１をスライディングガイドカバー１０上をスライドさせ、ガイド先端１２を傾斜台１１に添わせ傾斜台頂点１３に位置させる事で、前記第三の刃６と同様の位置と角度を得る事が出来る。ガイド開口部１４に傾斜台１１を入れ込みガイド３の傾きを戻して、本体グリップ２をＢ方向に傾けると、第二の刃５を突出させ切断物の逆の端部も切断できる。その時のガイド先端部分１２はＧの破線のような軌道を進む。以上のような構成によっても、端から端まで切れる硬質材用シートカッターを実施できる。
【符号の説明】
【０００９】１    本体
２    本体グリップ
３    ガイド
４    第一の刃
５    第二の刃
６    第三の刃
７    高さ調整ネジ
８    ガイドカバー
９    安全カバー
１０  スライディングガイドカバー
１１  傾斜台
１２  ガイド先端部分
１３  傾斜台頂点
１４  ガイド開口部分
【図１】
2015093179.tif 000003
【図２】
2015093179.tif 000004
【図３】
2015093179.tif 000005
(57)【要約】【課題】  持ち手を利用することなく、大腿部を利用した安全性の高い徒歩又は、運動をするためのウエストバンド付きの杖を提供する。【解決手段】  杖本体の支柱上部に間隔枕を設け、前記枕を大腿部に当てるように形成し、大腿部に連動して、杖先が可動し、杖先に金属性メッシュをすべり止めに設け、持ち手をウエストバンドの中に入れ絞め上げにしたことを特徴とするウエストバンド付きの杖。【選択図】図１
2015093183.tif 000002
【特許請求の範囲】
【請求項１】
杖本体の支柱上部に、間隔枕を設け、前記間隔枕を大腿部に当てるように形成し、大腿部に連動して、杖先が可動し、杖先に金属性メッシュをすべり止めに設け、持ち手を、ウエストバンドの中に入れ、絞め上げにしたことを特徴とするウエストバンド付きの杖。
【発明の詳細な説明】
【技術分野】
【０００１】  本発明は、持ち手を利用することなく、安全性の高い徒歩又は、運動をするためのウエストバンド付きの杖に関するものである。
【背景技術】
【０００２】  従来、棒状杖は、杖なしで自立歩行できる方がより安定して歩行できるように補助的に使用するものであるとされている。
なお、安全を第一とし、支柱にストラップを設け、手から杖が離れないようにする為に手首に巻き付けていた。
【発明の概要】
【発明が解決しようとする課題】
【０００３】    そのために、次のような問題点があった。
（イ）道路の側溝や凹みがある箇所では杖先がはまり込むことがあった場合手首に巻        きつけたストラップと同時に身体が傾き側溝にはまることがあった。
（ロ）また、杖の握り方法としては、支柱の中心に重心がかかるように握らなくては        ならない。持ち手の一部分だけを握ると荷重がかたより、不安定になるため注意        を要するものである。
本発明は、以上の問題点を解決するためになされたものである。
【課題を解決するための手段】
【０００４】  杖本体の支柱上部に、間隔枕を設け、前記間隔枕を大腿部に形成する。そして、大腿部に連動して、杖先が稼働する。初春の溶氷の滑り止めに取り換えの金属性メッシュを設ける。また、持ち手をウエストバンドの中に入れ絞め上げる。
以上を特徴とするウエストバンド付きの杖である。
【発明の効果】
【０００５】  本発明は、持ち手に手を触れることなく、大腿部を利用した伸縮自在のバンドを設けてあるので、自動的に杖を曳く動作になり、持ち手利用と異なり、道路の側溝や凹み箇所を通過する際、杖先がバンドにぶら下がる形態になるので事故防止することができ、安全性の高い杖を提供できる。また、春先のすべり止めとして、杖先の取り替えに、金属性繊維の嵌め具を嵌め込みするにより、一層の効果がある。また、両手をふりながら徒歩運動のできる効果を発揮するものである。
【図面の簡単な説明】
【０００６】
【図１】  本発明の斜視図
【図２】  本発明の夕一部欠き斜視図
【発明を実施するための最良の形態】
【０００７】以下、本発明の実施の形態を説明する。
（イ）杖支柱（１）の上部に、間隔枕（４）を装着する。
（ロ）杖支柱（１）の杖先ゴム（２）上に、すべり止めの金属メッシュ（２Ａ）を設ける      。
（ハ）支柱（１）と、持ち手（５）を大腿部（６）の側面に設け、ウエストバンド（３）      で絞め上げ、受け地（３Ｂ）に、吸着地（３Ａ）を嵌め込みして設ける。
本発明は、以上の構成よりなっている。
本発明を使用する時は、上記の杖支柱（１）が大腿部（６）より、ずれているのかを確認し、合わせる時は、ウエストバンド（３）を回しながら合わせて、そして杖先（２）と、間隔杖（４）に於いても互いに連携されているので、合わせることには、手間いらずである。従来と異なり、現代は、若い人達のスポーツ時代であり、その陰で怪我人が多数いると問題になっている。若い人達にとっては、杖を引く歩くのに違和感があり、家に閉じこもりが多いとの事である。上記構成の動作により、気分が一転することを期待するものである。
【発符号の説明】
【０００８】  １    支柱
２    杖先ゴム
２Ａ  杖先金属メッシュ
３    ウエストバンド
３Ａ  吸着地
３Ｂ  受け地
４    間隔枕
５    持ち手
６    大腿部
【図１】
2015093183.tif 000003
【図２】
2015093183.tif 000004
(57)【要約】【課題】従来、薬は医師の指示に従い１日朝・昼・晩等服用されるが、薬パッケージには薬の服用予定を記載する欄はありませんので、薬の服用については記憶に頼ることとなり服用したことを忘れたり、服用をそのもの忘れたりすることがある。薬の服用を確実に行うため薬を日別に区分保管する方法もとられているが、保管容器を購入する必要があり、保管容器の容量から長期間の区分保管、外出時の携帯には適当と言えません。本発明は、以上のような欠点をなくすためになされたものである。【解決手段】この発明は、薬パッケージの表面または裏面に薬の服用予定日と薬服用時期を記入する「薬服用予定日記入欄（２）」と「薬服用時期記入欄（３）」を１錠あるいは１服毎に設ける。本発明は、以上の構成よりなる「薬服用予定記入欄付薬パッケージ」に関するものである。【選択図】図１
2015093186.tif 000002
【特許請求の範囲】
【請求項１】
「薬パッケージ」の表面または裏面に薬の服用予定日と服用時期を記入する「薬服用予定日記入欄（２）」と「薬服用時期記入欄（３）」を１錠あるいは１服毎に設ける
以上よりなる「薬服用予定記入欄付薬パッケージ（１）」である
【発明の詳細な説明】
【技術分野】
【０００１】この発明は、「薬パッケージ」の表面または裏面に薬の服用予定日と服用時期を記入する「薬服用予定日記入欄（２）」と「薬服用時期記入欄（３）」を１錠あるいは１服毎に設けた「薬服用予定記入欄付薬パッケージ（１）」に関するものである。
【背景技術】
【０００２】従来の薬パッケージは表裏とも主に薬の名称だけが印刷されているものあるいは何も印刷されない無地のもので薬の服用予定を記載する欄はありません。
【発明の開示】
【発明が解決しようとする課題】
【０００３】従来、薬は医師の指示に従い１日につき朝・昼・夜等服用されるが、薬パッケージには薬の服用予定を記載する欄はありませんので、薬の服用については記憶に頼ることとなり服用したことを忘れたり、服用そのもの忘れたりすることがある。
薬の服用を確実に行うため薬を日別に区分保管する方法もとられているが、保管容器を購入する必要があり、保管容器の容量から長期間の区分保管、外出時の携帯には適当と言えません。
本発明は、以上のような欠点をなくすためになされたものである。
【課題を解決するための手段】
【０００４】  この発明は、薬パッケージの表面または裏面に薬の服用予定日と服用時期を記入する「薬服用予定日記入欄（２）」と「薬服用時期記入欄（３）」を１錠あるいは１服毎に設ける。
本発明は、以上の構成よりなる「薬服用予定記入欄付薬パッケージ（１）」に関するものである。
【発明の効果】
【０００５】薬パッケージの表面または裏面に設けられた薬服用予定記入欄に薬服用予定日と服用時期を１錠あるいは１服毎に直接記載するので、パッケージを見るだけで服用したか否か確認できる。
錠剤の１錠あるいは１服毎に予定を記載することから区分保管のための保管容器の購入も不要で、外出時も必要な薬パッケージのみを携帯することにより薬服用予定が容易に確認できる。
また、記入用具はパッケージの材質上、油性のサインペン等を使用するので手軽かつ安価である
【発明を実施するための最良の形態】
【０００６】  以下、本発明を実施するための最良の形態について説明する。
薬パッケージの表面または裏面に薬の服用予定日と服用時期を記入する薬服用予定記入  欄を１錠あるいは１服毎に印刷等により設ける。
これを使用するときは、薬錠剤パッケージの表面または裏面に印刷された薬服用予定記  入欄に薬の服用予定日と服用時期を油性のサインペン等により１錠あるいは１服毎に記  入する。
本発明は、以上のような構造である。
なお、服用時期を朝、昼、夜と記入することはスペース上難しいので数字（朝は１、昼  は２、夜は３）あるいは記号（朝はＭ、昼はＤ、夜はＮ）等に置き換えて簡記する。
また、服用予定日と服用時期を併記する場合、服用予定日と服用時期の間に―、／等の  記号を用いて予定日と時期を区分する。
今後、服用時期の記入例については朝は１、昼は２、夜は３と数字に置き換えて、服用  予定日と服用時期の区分については―の記号を用いて説明する。
【図面の簡単な説明】
【０００７】
【図１】本発明の平面図である
【図２】１日につき朝１回服用の場合の記入例
【図３】１日につき朝・夜２回服用の場合の記入例
【図４】１日につき朝・昼・夜３回服用の場合の記入例  以上３例は１パッケージ１０錠のシートの裏面への記入例である
【図５】１日につき朝１回服用の場合の記入例
【図６】１日につき朝・夜２回服用の場合の記入例
【図７】１日につき朝・昼・夜３回服用の場合の記入例  以上３例はミシン線入りの連続するパッケージの表面への記入例である
【符号の説明】
【０００８】  １  薬服用予定日記入欄付薬パッケージ（拡大イメージ図）
２  薬服用予定日記入欄
３  薬服用時期記入欄
４  薬の服用予定が１日の朝の服用予定日欄の記入例（１日−１）
５  薬の服用予定が１日の朝の服用予定日欄の記入例（１日−１）
６  薬の服用予定が１日の夜の服用予定日欄の記入例（１日−３）
７  薬の服用予定が１日の朝の服用予定日欄の記入例（１日−１）
８  薬の服用予定が１日の昼の服用予定日欄の記入例（１日−２）
９  薬の服用予定が１日の夜の服用予定日欄の記入例（１日−３）
１０  薬の服用予定が１日の朝の服用予定日欄の記入例（１日−１）
１１  薬の服用予定が１日の朝の服用予定日欄の記入例（１日−１）
１２  薬の服用予定が１日の夜の服用予定日欄の記入例（１日−３）
１３  薬の服用予定が１日の朝の服用予定日欄の記入例（１日−１）
１４  薬の服用予定が１日の昼の服用予定日欄の記入例（１日−２）
１５  薬の服用予定が１日の夜の服用予定日欄の記入例（１日−３）
【図１】
2015093186.tif 000003
【図２】
2015093186.tif 000004
【図３】
2015093186.tif 000005
【図４】
2015093186.tif 000006
【図５】
2015093186.tif 000007
【図６】
2015093186.tif 000008
【図７】
2015093186.tif 000009
(57)【要約】本発明は、カルボン酸ジルコニウムを合成する新規の方法に関する。現在用いられている製造プロセスの不都合な特徴（腐食性の高い出発物質および生成物、ＨＣｌの複雑な除去）を克服するために、非極性媒体中にＺｒＣｌ4を懸濁させ、それを酸の無水物と反応させることが提案されている。生じる唯一の生成物は、わずかに腐食性のカルボン酸ジルコニウムおよび酸塩化物である。これは、化学工業および製薬工業において価値のある基礎化学物質である。合成に必要とされる反応器は、必ずしも、ガラスおよび／またはほうろうからなる必要はなく、代わりに、より安いステンレス鋼から製造できる。塩化水素酸の除去および処理のための装置は必要ない。【特許請求の範囲】
【請求項１】
カルボン酸ジルコニウムを合成する方法であって、
有機溶媒中に懸濁されたＺｒＣｌ4を有機酸の無水物と反応させ、この反応において、塩化水素酸ではなく、カルボン酸ジルコニウムおよび酸塩化物が生成される工程を有してなる方法。
【請求項２】
前記カルボン酸ジルコニウムが、以下の化学式：
【化１】
2008512406.tif 000004
にしたがって合成されることを特徴とする請求項１記載の方法。
【請求項３】
Ｒがメチル、エチル、プロピル、イソプロピル、ブチル、フェニル、ヘキシルまたはベンジルであり、Ｒ’がＲと同じかまたはメチルであることを特徴とする請求項２記載の方法。
【請求項４】
前記有機溶媒が非極性溶媒であり、トルエン、ベンゼン、キシレン、ヘキサンまたはクロロベンゼンを含むことを特徴とする請求項１から３いずれか１項記載の方法。
【請求項５】
化学工業および製薬工業における基礎化学物質として用いられる酸塩化物が二次生成物として生成されることを特徴とする請求項１から４いずれか１項記載の方法。
【発明の詳細な説明】
【技術分野】
【０００１】
本発明は、カルボン酸ジルコニウムを合成する新規の方法に関する。
【背景技術】
【０００２】
カルボン酸ジルコニウムは、線状αオレフィン（ＬＡＯ）を製造するための触媒系の一部として用いられる。ＬＡＯ合成反応は、有機溶媒中で進行する。
【０００３】
線状αオレフィンは、例えば、ポリオレフィンの性質を改質するためのコモノマーとして、または可塑剤、界面活性剤物質などを製造するための出発材料として、広く用いられ大量に要求される化合物である。大規模工業ＬＡＯプラントからの年産量には、数百トンのカルボン酸ジルコニウム溶液が必要である。この大量の触媒物質の製造は、一般に、約１５ｍ3の容量を持つ反応器内で進行する。
【０００４】
塩化ジルコニウム（ＺｒＣｌ4）は、ＬＡＯ合成のための触媒として既に適している（特許文献１および２）。しかしながら、それは有機溶媒中の溶解度が低いために、実際には、より容易に溶解する、それゆえ、実質的により活性なカルボン酸ジルコニウムが、ＺｒＣｌ4の代わりに用いられている（特許文献３）。カルボン酸ジルコニウムは、リンデ(Linde)の特許文献４に記載されたプロセスで現在製造されている。ここで、ＺｒＣｌ4は、有機溶媒中でイソブチル酸（ＨＸ）と反応せしめられて、以下の化学式：
【化１】
2008512406.tif 000002
【０００５】
にしたがって、カルボン酸ジルコニウム（ＺｒＸ4）および塩化水素酸を生成する。出発物質のイソブチル酸および生成物の塩化水素酸は両方とも、非常に腐食性が強い。したがって、ステンレス鋼中に含まれる鉄、クロム、ニッケルまたはチタンなどの合金成分が浸出し、汚染物としてＺｒＸ4の触媒作用を酷く損なうので、合成のためにステンレス鋼製反応器を使用することはできない。この理由のために、反応器および撹拌機およびパイプなどの他のプラントの構成部材は、ガラスおよび／またはほうろうからなる。これらの物質は、合成に関与する物質からの腐食攻撃に耐えるが、そのために、合成プラントの資本コストが上昇する。溶液から塩化水素酸を除去するための装置および塩化水素酸を含有する排気ガスを処理するための装置と共に、ガラス／ほうろうから製造された反応器（約１５ｍ3）を備えた製造プラントは、数百万ユーロの資本投資を伴うが、塩化水素酸の除去と処理のための装置のない、ステンレス鋼から製造された同じサイズのプラントは、この費用の数分の一で建設されるであろう。
【０００６】
上昇したプラントのコストは別にして、上述したプロセスのさらに別の欠点は、ＨＣｌによる汚染が数ｐｐｍでさえも、カルボン酸ジルコニウムの触媒活性を著しく損なうことである。ある割合の塩化水素酸は、合成中に気相からすでに除かれているが、溶液中に残留している塩化水素酸は、その後のプロセス工程において除去しなければならない。これは、窒素による回収によって、数日間続く。このプロセス工程の長い所要期間のために、プロセスの生産性が著しく制限される。さらに、大量の窒素の消費が必然的に高い操業コストを伴う。
【特許文献１】米国特許第４４８６６１５号明細書
【特許文献２】米国特許第４７８３５７３号明細書
【特許文献３】旧ソ連国追加発明者証第１０４２７１０号明細書
【特許文献４】独国特許発明第４３３８４１６Ｃ１号明細書
【発明の開示】
【発明が解決しようとする課題】
【０００７】
したがって、本発明の課題は、塩化水素酸を伴わない、カルボン酸ジルコニウムの大規模工業合成を可能にする上述したタイプの方法を提供することにある。
【課題を解決するための手段】
【０００８】
この課題は、有機溶媒中に懸濁されたＺｒＣｌ4が、有機酸の無水物を反応せしめられ特に、塩化水素酸ではなく、代わりに、カルボン酸ジルコニウムおよび酸塩化物がこの反応で生成されるという本発明により達成される。
【発明を実施するための最良の形態】
【０００９】
本発明によれば、カルボン酸Ｚｒ合成のための非極性溶媒として、トルエン、ベンゼン、キシレン、ヘキサンまたはクロロベンゼンを使用することが好ましい。
【００１０】
ここでの化学反応は、以下の化学式：
【化２】
2008512406.tif 000003
【００１１】
にしたがって進行し、ここで、略語ＲおよびＲ’は、メチル、エチル、プロピル、イソプロピル、ブチル、フェニル、ヘキシルまたはベンジルを示し、Ｒ’はＲと同じである、あるいはＲ’はメチルを示す。
【００１２】
このプロセスは、中間生成物として、使用する溶媒中にカルボン酸Ｚｒおよび酸塩化物の溶液を生成する。この酸塩化物の二次生成物は、蒸留によって溶液から直ちに除去してもよい。この生成物は、化学工業および製薬工業において価値のある基礎化学物質であり、それ自体で儲けになるように販売してもよい。
【国際調査報告】
2008512406.tif 000005
2008512406.tif 000006
2008512406.tif 000007